(57)【特許請求の範囲】
【請求項１】
給水源又は給湯機から供給される洗浄水又は洗浄湯をその内部に設けたヒータによって所定の温度に加熱する貯湯タンクと、同貯湯タンクから供給される洗浄湯を貯える洗浄タンクと、同洗浄タンクの水位が所定の水位に達したとき前記貯湯タンクへの洗浄水又は洗浄湯の供給を停止する初期給湯制御手段を備えた食器洗浄機において、
前記洗浄タンクに前記貯湯タンクから供給された洗浄湯の水位が所定の水位に達した時に同洗浄タンクから前記洗浄配管を通して前記洗浄ノズルに洗浄湯を供給する洗浄ポンプを始動させるとともに前記貯湯タンク内のヒータへの通電を開始して、前記貯湯タンク内の湯温が所定の温度に達したとき前記洗浄ポンプの作動を停止させる洗浄工程制御手段と、
前記洗浄工程制御手段による洗浄工程が完了した後に前記洗浄タンク内に還流した洗浄湯を機外に排出する排水工程の完了後に前記貯湯タンクからすすぎノズルに洗浄湯を供給するすすぎポンプを始動させるとともに前記貯湯タンク内のヒータへの給電を停止させるすすぎ工程制御手段とを設けたことを特徴とする洗浄機。
【請求項２】
前記洗浄タンクから洗浄ノズルに洗浄湯を給送する洗浄配管を前記貯湯タンクの内部を通して配置して、洗浄工程にて前記洗浄配管を通して洗浄ノズルに給送される洗浄湯が前記貯湯タンク内にてヒータの加熱によって昇温されるすすぎ湯によって加熱されるようにしたことを特徴とする請求項１に記載の洗浄機。
【発明の詳細な説明】
【０００１】
【発明の属する技術分野】
本発明は、食器等の被洗浄物を洗浄液とすすぎ湯にて洗浄するための洗浄機に関する。
【０００２】
【従来の技術】
この種の洗浄機の一つとして、洗浄ノズルに洗浄配管を通して供給される洗浄液を収容する洗浄タンクと、すすぎノズルにすすぎ配管を通して供給されるすすぎ湯を貯える貯湯タンクとを備えて、洗浄工程にて前記洗浄ノズルから噴射される洗浄液によって被洗浄物が洗浄されるとともに、すすぎ工程にて前記すすぎノズルから噴射されるすすぎ湯にて前記被洗浄物がすすがれるようにしたものがあり、例えば特開平３−９９６２３号公報に示されている。
【０００３】
【発明が解決しようとする課題】
（第１の解決課題）
上記した公報の洗浄機においては、洗浄工程後に洗浄タンクに洗浄液が収容されている状態にてすすぎ工程が実行されるようになっていて、被洗浄物をすすいだ後のすすぎ湯は洗浄タンクに入って洗浄液と混ざるとともに、洗浄タンクに立設したオーバーフロー管を通して機外に排水される。したがって、このすすぎ工程後に洗浄タンクに収容されている湯を次回の洗浄液として使用する場合には、すすぎ湯によって一部は浄化されているが全体的には先の洗浄によって汚れた洗浄液で次回の洗浄を行うこととなり、きれいな洗浄液にて洗浄することができない。
【０００４】
（第２の解決課題）
上記した公報の洗浄機においては、貯湯タンクに内蔵したヒータが貯湯タンク内の湯温を検出する温度検出装置によって通電を制御されるようになっていて、洗浄機が運転を長時間停止しているときにも貯湯タンク内の湯温を設定温度（８０℃程度）に維持するために温度検出装置が設けられている。また、貯湯タンクからオーバーフローによって前記洗浄タンクに洗浄液が供給される場合（初期給湯工程時）を除いて、貯湯タンク内の液位（水位）を設定範囲に維持する（貯湯タンク内に所定量の湯を確保する）ために、貯湯タンクに対応して配設した給湯弁の開閉を制御する液位検出装置が設けられている。このため、洗浄機が運転を長時間停止しているときにも、貯湯タンク内に確保されている所定量の湯の温度を設定温度（８０℃程度）に維持するためにヒータへの通電が制御されて、ヒータにて多量の電力（エネルギー）が消費される。
【０００５】
【課題を解決する手段】
本願発明は、上記の課題を解決するため、給水源又は給湯機から供給される洗浄水又は洗浄湯をその内部に設けたヒータによって所定の温度に加熱する貯湯タンクと、同貯湯タンクから供給される洗浄湯を貯える洗浄タンクと、同洗浄タンクの水位が所定の水位に達したとき前記貯湯タンクへの洗浄水又は洗浄湯の供給を停止する初期給湯制御手段を備えた食器洗浄機において、前記洗浄タンクに前記貯湯タンクから供給された洗浄湯の水位が所定の水位に達した時に同洗浄タンクから前記洗浄配管を通して前記洗浄ノズルに洗浄湯を供給する洗浄ポンプを始動させるとともに前記貯湯タンク内のヒータへの通電を開始して、前記貯湯タンク内の湯温が所定の温度に達したとき前記洗浄ポンプの作動を停止させる洗浄工程制御手段と、前記洗浄工程制御手段による洗浄工程が完了した後に前記洗浄タンク内に還流した洗浄湯を機外に排出する排水工程の完了後に前記貯湯タンクからすすぎノズルに洗浄湯を供給するすすぎポンプを始動させるとともに前記貯湯タンク内のヒータへの給電を停止させるすすぎ工程制御手段とを設けたことを特徴とする洗浄機を提供するものである。
【０００６】
本発明の実施にあたっては、上記のように構成した洗浄機において、前記洗浄タンクから洗浄ノズルに洗浄湯を給送する洗浄配管を前記貯湯タンクの内部を通して配置して、洗浄工程にて前記洗浄配管を通して洗浄ノズルに給送される洗浄湯が前記貯湯タンク内にてヒータの加熱によって昇温されるすすぎ湯によって加熱されるようするのが望ましい。
【０００７】
【発明の作用・効果】
上述した本発明による洗浄機においては、前記すすぎ工程制御手段によって、洗浄工程の完了後に洗浄タンク内に還流した汚れた洗浄湯を排出した後に貯湯タンクから清浄な洗浄湯が洗浄タンクに供給されてすすぎ工程が開始するので、すすぎ工程にてすすぎ湯に汚れた洗浄湯が混在しないことは勿論のこと、すすぎ工程の後に引続き食器等の被洗浄物を洗浄する場合には、洗浄タンクに貯えられたすすぎ湯を有効に活用できるので次の初期給湯工程に貯湯タンクに補給される洗浄湯の量が少なくて済み、先に使用されたすすぎ湯を洗浄工程にて使用することができる利点がある。（段落［００１９］参照）また、前記すすぎ工程制御手段によって、すすぎ工程が開始されたとき貯湯タンク内のヒータへの給電を停止させ、すすぎ工程が完了したとき貯湯タンクが空になるので、当該洗浄機が不使用のまま停止した状態におかれた場合には貯湯タンク内のヒータへの通電による消費電力を少なくできる利点がある。（段落［００２７］参照）
さらに、前記洗浄タンクから洗浄ノズルに洗浄湯を給送する洗浄配管を前記貯湯タンクの内部を通して配置して、洗浄工程にて前記洗浄配管を通して洗浄ノズルに給送される洗浄湯が前記貯湯タンク内にてヒータの加熱によって昇温されるすすぎ湯によって加熱されるようにした場合には、洗浄工程にて前記洗浄配管が貯湯タンク内のすすぎ湯によって加熱されるため、洗浄タンクから洗浄ノズルに供給される洗浄湯が低温から高温にされることにより、冷たいガラス製食器等が洗浄されるとき急激な温度上昇による破損を無くし得るとともに高温の洗浄湯によって油脂成分等の汚れを的確に洗浄することができる利点がある。（段落［００１４］、［００２１］〜［００２２］参照）
【０００８】
また、上記した第１及び第２の課題に対処すべくなされた本発明による洗浄機においては、上記した作用効果が得られるとともに、洗浄工程前の初期給水工程時に貯湯タンクに貯えられるすすぎ湯の貯水量がすすぎ工程にて消費される容量であり、貯湯タンクに内蔵したヒータによって加熱昇温された貯湯タンク内のすすぎ湯はすすぎ工程にて全て有効に使用されるため、また貯湯タンクに内蔵したヒータへの通電を貯湯タンク内にすすぎ湯が貯えられている特定の期間（時間）のみとすることができるため、エネルギー利用効率を高めることができて省エネルギー効果が期待できる。
【０００９】
【発明の実施の形態】
以下に、本発明の一実施形態を図面に基づいて説明する。図１は本発明による洗浄機を示していて、この洗浄機は家庭用の食器洗浄機であって、箱形の本体１１内に洗浄ノズル１３，１５及びすすぎノズル１７，１９がそれぞれ上下一対で対向配置されている。また、本体１１の底部に洗浄タンク２１が一体的に形成されるとともに、本体１１の背部に貯湯タンク２３が配設されている。なお、本体１１の前方に設けた開口は開閉扉（図示省略）によって開閉されるようになっていて、本体１１と開閉扉によって仮想線にて示した被洗浄物Ａ（ラックＢに収容された食器）を収容可能な洗浄室Ｒが形成されるようになっている。また、各洗浄ノズル１３，１５及び各すすぎノズル１７，１９は、それぞれ周知のもので、内部に圧送される洗浄液及びすすぎ湯を回転しながら被洗浄物Ａに向けて噴射する多数の噴射口（図示省略）を備えている。
【００１０】
洗浄タンク２１は、各洗浄ノズル１３，１５に洗浄配管Ｐ１を通して供給される洗浄液を所要量（規定水位で略５リットル程度）収容するもので、洗浄液は本体１１の背面上部と貯湯タンク２３の前面上部を連通させる連通管２５と本体１１内の洗浄室Ｒ背部を通して貯湯タンク２３の上部から洗浄工程前の初期給湯工程時に供給されるようになっており、洗浄配管Ｐ１には電動式の洗浄ポンプ３１が介装されている。洗浄ポンプ３１は、制御装置（図示省略）によって洗浄工程時に駆動されるようになっていて、この洗浄ポンプ３１の駆動によって洗浄タンク２１内の洗浄液が各洗浄ノズル１３，１５に圧送されて周知のように被洗浄物Ａに噴射されるようになっている。
【００１１】
また、洗浄タンク２１には、洗浄タンク２１内の湯を機外に排水するための排水配管Ｐ２が接続されていて、排水配管Ｐ２には制御装置によって排水工程時に駆動される電動式の排水ポンプ３３が介装されており、この排水ポンプ３３の駆動によって洗浄タンク２１内の湯が機外に排水されるようになっている。また、洗浄タンク２１には、内部の水位が規定水位以上となったとき制御装置にＯＮ信号を出力する水位センサ４１と、内部の水位がオーバーフロー水位（規定水位より所定量高い異常水位）以上となったとき制御装置にＯＮ信号を出力する水位センサ４３が配設されている。なお、オーバーフロー水位を検出する水位センサ４３が制御装置にＯＮ信号を出力すると、制御装置によって排水ポンプ３３が所定時間駆動されるとともに、警告手段（例えば、ブザー、ランプ）が作動するようになっている。
【００１２】
貯湯タンク２３は、図１では洗浄タンク２１より大きく図示されているが実際には洗浄タンク２１より小さくて、各すすぎノズル１７，１９にすすぎ配管Ｐ３を通して供給されるすすぎ湯を設定量（すすぎ工程にて消費される容量であり、洗浄タンク２１に規定水位にて収容される容量より少ない略３．５リットル）貯えるもので、すすぎ湯は貯湯タンク２３の背面上部に配設した給湯配管Ｐ４を通して貯湯タンク２３の上方から洗浄工程前の初期給湯工程時に供給されるようになっており、すすぎ配管Ｐ３には電動式のすすぎポンプ３５が介装され、また給湯配管Ｐ４には電磁式で常閉形の開閉バルブ３７が介装されている。
【００１３】
すすぎポンプ３５は、制御装置によってすすぎ工程時に駆動されるようになっていて、このすすぎポンプ３５の駆動によって貯湯タンク２３内のすすぎ湯が各すすぎノズル１７，１９に圧送されて周知のように被洗浄物Ａに噴射されるようになっている。また開閉バルブ３７は、制御装置によって初期給湯工程の開始時に開かれるようになっていて、この開閉バルブ３７の開動作によって例えばガス湯沸かし器（図示省略）等の機外給湯源から５０℃程度の湯が貯湯タンク２３に注がれるようになっている。なお、開閉バルブ３７は水位センサ４１から制御装置にＯＮ信号が出力された時（初期給湯工程の完了信号出力時）に閉動作するようになっており、これによって洗浄タンク２１に所定量の洗浄液が収容されるとともに貯湯タンク２３に設定量のすすぎ湯が貯えられて初期給湯工程が完了するようになっている。
【００１４】
また、貯湯タンク２３には、電気式のヒータ５１が内蔵されるとともに、サーミスタ５３が取付けられており、また上方の洗浄ノズル１３に洗浄液を供給する洗浄配管の一部Ｐ１ａが螺旋状とされてすすぎ湯中に浸漬するように配設されている。ヒータ５１は、通電によって貯湯タンク２３内のすすぎ湯を加熱昇温させるもので、制御装置によって水位センサ４１から制御装置にＯＮ信号が出力された時（洗浄タンク２１に所定量の洗浄液が収容されるとともに貯湯タンク２３に設定量のすすぎ湯が貯えられる時であり、給湯配管Ｐ４を通して機外給湯機から貯湯タンク２３に給湯が完了した時）に通電開始され、またすすぎポンプ３５が駆動開始すると同時（すすぎ工程の開始時）に通電停止されるようになっている。サーミスタ５３は、貯湯タンク２３内の湯温を検出する温度センサであり、制御装置に接続されていて、このサーミスタ５３によって貯湯タンク２３内の湯温が設定値（８０℃）に達したことが検出されると、制御装置が洗浄工程を完了するようになっている。
【００１５】
上記のように構成した食器洗浄機においては、両タンク２１，２３が共に空の状態で、被洗浄物Ａを本体１１内の所定の位置に入れるとともに、洗剤を例えばラックＢに取付けた洗剤ケース（図示省略）に入れて開閉扉（図示省略）を閉じ、スタートスイッチ（押動操作時にのみＯＮする図示省略のスイッチ）を押すと、制御装置によって各ポンプ３１，３３，３５と開閉バルブ３７の各作動及びヒータ５１の通電・非通電がそれぞれ制御されて、以下に詳述する初期給湯工程、洗浄工程、洗浄水の排水工程、すすぎ工程及びすすぎ湯の排水工程が順次連続的に実行される。
【００１６】
初期給湯工程では、その開始時にスタートスイッチのＯＮに伴って開閉バルブ３７が開き、給湯配管Ｐ４を通して貯湯タンク２３に機外給湯源から５０℃程度の湯が注がれる。かくして、貯湯タンク２３に設定量の湯が貯えられると、その後は貯湯タンク２３からオーバーフローによって連通管２５と本体１１内の洗浄室Ｒ背部を通して洗浄タンク２１に湯が供給され、洗浄タンク２１の水位が規定水位に達すると、水位センサ４１からＯＮ信号が出力されて開閉バルブ３７が閉じ、これによって初期給湯工程が完了する。
【００１７】
また、初期給湯工程の完了後に実行される洗浄工程では、水位センサ４１からＯＮ信号が出力されるのに伴ってヒータ５１への通電が開始されて貯湯タンク２３内の湯（すすぎ湯）が加熱昇温されるとともに、洗浄ポンプ３１が駆動を開始し、洗浄タンク２１内の湯（洗浄液）が洗浄配管Ｐ１を通して各洗浄ノズル１３，１５に圧送され、各洗浄ノズル１３，１５から洗浄液が被洗浄物Ａに噴射されて被洗浄物Ａが洗浄され、その後に洗浄液は本体１１内の洗浄室Ｒを下方に流れて洗浄タンク２１へと戻る。この洗浄工程では、洗剤が洗浄液に溶けて洗浄液とともに被洗浄物Ａに循環供給されるとともに、貯湯タンク２３内のすすぎ湯中に浸漬している洗浄配管の一部Ｐ１ａにて洗浄液が加熱昇温される。この洗浄工程は、貯湯タンク２３内の湯温が設定値（８０℃）に達するまで実行され、貯湯タンク２３内の湯温が設定値（８０℃）に達した時点で洗浄ポンプ３１の駆動が停止して、洗浄工程が完了する。
【００１８】
また、洗浄工程後に実行される洗浄水の排水工程では、洗浄ポンプ３１の駆動停止に伴って排水ポンプ３３が駆動を開始し、洗浄タンク２１内の洗浄液が排水管路Ｐ２を通して機外に排水される。この排水工程は、設定時間（排水ポンプ３３の吐出能力と洗浄タンク２１内の洗浄液量によって決定される）後に排水ポンプ３３の駆動が停止されることにより完了し、これによって洗浄タンク２１内の洗浄液は略全量が洗浄タンク２１から機外に排水される。
【００１９】
また、洗浄水の排水工程後に実行されるすすぎ工程では、排水ポンプ３３の停止に伴ってすすぎポンプ３５が駆動を開始すると同時に、ヒータ５１への通電が停止されて、貯湯タンク２３内のすすぎ湯のヒータ５１による加熱昇温が終了するとともに、貯湯タンク２３内のすすぎ湯がすすぎ配管Ｐ３を通して各すすぎノズル１７，１９に圧送され、各すすぎノズル１７，１９からすすぎ湯が被洗浄物Ａに噴射されて被洗浄物Ａがすすがれる。なお、被洗浄物Ａをすすいだ後の湯は本体１１内の洗浄室Ｒを下方に流れて洗浄タンク２１内に流入する。このすすぎ工程は、設定時間（すすぎポンプ３５の吐出能力と貯湯タンク２３内のすすぎ湯量によって決定される）後にすすぎポンプ３５の駆動が停止することにより完了し、これによって貯湯タンク２３内のすすぎ湯は略全量がすすぎ湯として使用されて消費される。
【００２０】
また、すすぎ工程後の所定時間（例えば５分間）内に再使用の操作（すなわち、洗浄・すすぎが完了した被洗浄物Ａを本体１１外に出した後に未洗浄・未すすぎの被洗浄物Ａを上述したように本体１１内に入れて開閉扉を閉じ、その後にスタートスイッチを押す操作）が行われないときに実行されるすすぎ湯の排水工程では、所定時間の経過時に排水ポンプ３３が駆動を開始し、洗浄タンク２１内のすすぎ湯が排水管路Ｐ２を通して機外に排水される。この排水工程は、設定時間（排水ポンプ３３の吐出能力と洗浄タンク２１内に流入したすすぎ湯量によって決定される）後に排水ポンプ３３の駆動が停止されることにより完了し、これによって洗浄タンク２１内のすすぎ湯は略全量が洗浄タンク２１から機外に排水される。なお、すすぎ工程後の所定時間内に再使用の操作が行われた場合には、上述した初期給湯工程、洗浄工程、洗浄水の排水工程及びすすぎ工程が順次連続的に実行される。
【００２１】
上記した構成及び作動の説明から明らかなように、上記実施形態の食器洗浄機においては、洗浄配管Ｐ１の一部Ｐ１ａを貯湯タンク２３内のすすぎ湯中に浸漬するように配設したため、伝熱面積を十分に確保した上で洗浄配管Ｐ１内の洗浄液を貯湯タンク２３内のすすぎ湯（内蔵したヒータ５１によって加熱されている）によって加熱昇温させることができる。したがって、５０℃程度の低温の洗浄液にて洗浄を開始して８０℃に近い高温の洗浄液にて洗浄を終了することが可能であり、低温の洗浄液によって蛋白質成分や高温にされることにより凝固するような汚れを洗浄工程の初期に的確に洗浄することができるとともに、高温の洗浄液によって油質成分等の汚れを洗浄工程の後期に的確に洗浄することができる。
【００２２】
また、５０℃程度の低温の洗浄液にて洗浄を開始することができるため、ガラス製食器等で冷たい飲食物が入れられていた被洗浄物Ａを洗浄する場合にも、高温の洗浄液で洗浄を開始する場合のように急激な温度上昇がなくて、急激的な温度上昇に起因する被洗浄物Ａの破損発生を防止することができる。
【００２３】
また、上記実施形態の食器洗浄機においては、洗浄タンク２１にヒータを設けることなく実施できるため、洗浄タンク２１の清掃を容易に行うことができる。また、すすぎタンク２３に内蔵したヒータ５１を兼用して洗浄ポンプ３１によって循環供給される洗浄液を加熱昇温させるため、コスト低減を図ることができる。また、ヒータ５１には食物かす等の汚れが付着しないため、ヒータ５１の機能が汚れによって損なわれることはない。
【００２４】
また、上記実施形態の食器洗浄機においては、貯湯タンク２３内のすすぎ湯中に浸漬する洗浄配管の一部Ｐ１ａを螺旋状としたため、洗浄管路Ｐ１での流路抵抗の増大を抑えながら貯湯タンク２３内のすすぎ湯中に浸漬する洗浄配管Ｐ１ａの管路長を長くすることができて、伝熱面積の増大を図ることができ、洗浄配管Ｐ１内の洗浄液を貯湯タンク２３内のすすぎ湯にて効率よく加熱昇温させることができる。
【００２５】
また、上記実施形態の食器洗浄機においては、上方の洗浄ノズル１３に洗浄液を供給する洗浄配管の一部Ｐ１ａを収容するようにして貯湯タンク２３が配設されているため、洗浄配管Ｐ１の構成をシンプルに維持して貯湯タンク２３を配設でき、食器洗浄機全体をコンパクトに構成することができる。
【００２６】
また、上記実施形態の食器洗浄機においては、貯湯タンク２３に同タンク２３内の湯温を検出するサーミスタ５３を設けて、このサーミスタ５３によって検出される湯温が設定値（８０℃）に達したときに洗浄工程が完了するようにしたため、洗浄タンク２１に供給される洗浄液の温度が低い場合（５０℃以下である場合も含む）においても、少なくともすすぎ湯が設定値に達して洗浄液が所定値に上昇するまでは洗浄工程を続行することができて、高温の洗浄液によって油脂成分等の汚れを確実に洗浄することができる。なお、貯湯タンク２３内の湯温が設定値に達したときを基準として洗浄工程の完了を決定する、例えば貯湯タンク２３内の湯温が設定値に達した後の設定時間後に洗浄工程が完了するようにして実施することも可能である。
【００２７】
また、上記実施形態の食器洗浄機においては、ヒータ５１への通電を洗浄タンク２１及び貯湯タンク２３への給湯完了時からすすぎ工程の開始時までの間としたため、ヒータ５１への通電を特定の期間（時間）のみとすることができて、ヒータ５１による消費電力量を少なくすることができ、省エネルギーの効果を得ることができる。また、初期給湯工程前に貯湯タンク２３が空状態となるように構成したため、機外給湯源から貯湯タンク２３に給湯される給湯開始直後の低温湯は貯湯タンク２３の底部に貯留され、またその後に連続して給湯される高温湯が貯湯タンク２３の上部に貯留されて、この高温湯がオーバーフローによって洗浄タンク２１に供給される。したがって、洗浄タンク２１には貯湯タンク２３から高温湯のみが洗浄液として供給されることとなり、初期給湯工程の完了時には洗浄タンク２３に適温の洗浄液が収容されて、洗浄工程の初期から所期の洗浄効果を得ることができる。
【００２８】
また、上記実施形態の食器洗浄機においては、洗浄タンク２１に規定水位を検出する水位センサ４１を設けて、この水位センサ４１によって規定水位が検出されることにより機外給湯源から洗浄タンク２１及び貯湯タンク２３への給湯が完了するように構成したため、貯湯タンク２３に水位センサが不要で、貯湯タンク２３の構成をシンプルかつコンパクトとすることができる。
【００２９】
また、上記実施形態の食器洗浄機においては、洗浄工程前の初期給水工程時に貯湯タンク２３に貯えられるすすぎ湯の貯水量がすすぎ工程にて消費される容量であり、貯湯タンク２３に内蔵したヒータ５１によって加熱昇温された貯湯タンク２３内のすすぎ湯はすすぎ工程にて全て有効に使用されるため、また貯湯タンク２３に内蔵したヒータ５１への通電は貯湯タンク２３内にすすぎ湯が貯えられている特定の期間（時間）のみであるため、エネルギー利用効率を高めることができて省エネルギー効果が期待できる。
【００３０】
また、洗浄工程とすすぎ工程間に実行される洗浄液の排水工程にて洗浄タンク２１内の洗浄液が機外に排水されるように構成したため、すすぎ工程時に貯湯タンク２３から洗浄タンク２１に流れるすすぎ湯では洗浄タンク２１内で水位が規定水位以上とならなくて、このすすぎ湯を機外に排水させる必要がなく、また食器洗浄機を連続的に使用する場合に、このすすぎ湯（洗浄後の洗浄水に比してきれいな湯）を全て次回の洗浄液として使用することが可能であり、この洗浄液と新たに追加供給される洗浄液にて次回の洗浄を行うことができて、次回の洗浄での消費水量を少なくすることができるとともに、比較的きれいな洗浄液にて次回の洗浄を行うことができる。
【００３１】
上記実施形態においては、本発明を食器洗浄機に実施したが、本発明は他の被洗浄物を洗浄する洗浄機にも同様に実施し得るものである。また、上記実施形態においては、貯湯タンク２３内のすすぎ湯中に浸漬する洗浄配管の一部Ｐ１ａを螺旋状として実施したが、これを他の形態、例えば蛇行状或いは蛇腹状として実施することも可能である。また、上記実施形態においては、上方の洗浄ノズル１３に洗浄液を供給する洗浄配管の一部Ｐ１ａが貯湯タンク２３に収容されるようにして実施したが、下方の洗浄ノズル１５に洗浄液を供給する洗浄配管の一部あるいは各洗浄ノズル１３，１５への分岐前の洗浄配管の一部が貯湯タンク２３に収容されるようにして実施することも可能である。
【００３２】
また、上記実施形態においては、ヒータ５１への通電を洗浄タンク２１及び貯湯タンク２３への給湯完了時（水位センサ４１から制御装置にＯＮ信号が出力された時）からすすぎ工程の開始時（すすぎポンプ３５の駆動開始時）までの間としたが、このヒータ５１への通電期間（時間）は貯湯タンク２３への給湯開始によってヒータ５１が湯に浸漬した後からすすぎ工程の開始によってヒータ５１が湯から露出するまでの間で適宜に設定可能であり、上記実施形態に限定されるものではない。
【００３３】
また、上記実施形態においては、初期給湯工程時に、貯湯タンク２３から連通管２５を通して洗浄タンク２１に湯が供給されるように構成したが、連通管２５を無くすとともに、初期給湯工程時にすすぎポンプ３５の駆動により各すすぎノズル１７，１９を通して貯湯タンク２３から洗浄タンク２１に湯が供給されるように構成して実施することも可能である。
【００３４】
また、上記実施形態においては、洗浄ノズル及びすすぎノズルがそれぞれ上下一対である（洗浄室Ｒの下側と上側に洗浄ノズル及びすすぎノズルがそれぞれ配設されている）食器洗浄機に本発明を実施したが、洗浄室Ｒの下側にのみ洗浄ノズル及びすすぎノズルが配設されている食器洗浄機にも本発明は同様に実施し得るものである。
【００３５】
また、上記実施形態においては、貯湯タンク２３に対応して給湯配管Ｐ４（機外給湯源に接続されている）を設けて、洗浄工程前に貯湯タンク２３に給湯配管Ｐ４を通して湯が供給されるように構成したが、貯湯タンクに対応して給水配管（水道等の機外給水源に接続されている）を設けて、洗浄工程前に貯湯タンクに給水配管を通して水が供給されるように構成して実施することも可能である。
【図面の簡単な説明】
【図１】  本発明を家庭用の食器洗浄機に実施した一実施形態を概略的に示す全体構成図である。
【符号の説明】
１１…本体、１３，１５…洗浄ノズル、１７，１９…すすぎノズル、２１…洗浄タンク、２３…貯湯タンク、２５…連通管、３１…洗浄ポンプ、３３…排水ポンプ、３５…すすぎポンプ、３７…開閉バルブ、４１…規定水位を検出する水位センサ、４３…オーバーフロー水位を検出する水位センサ、５１…ヒータ、５３…サーミスタ（温度センサ）、Ａ…被洗浄物、Ｐ１…洗浄配管、Ｐ１ａ…貯湯タンク内のすすぎ湯中に浸漬する洗浄配管の一部、Ｐ２…排水配管、Ｐ３…すすぎ配管、Ｐ４…給湯配管。
【図１】
0003983351.tif 000002